(57)【要約】【課題】スプール軸と回転軸筒とのガタを防止して異音の発生を好適に抑制する。【解決手段】リール本体１と、リール本体１に設けられ、釣糸が巻回されるスプール３を支持するスプール軸８と、スプール軸８が前後動可能に挿通され、ロータ２が固定される回転軸筒１０と、回転軸筒１０の内周部１０ｂに配置され、スプール軸８の外周部８ｂに接触する弾性部材２０と、を具備した構成とした。【選択図】図２
2014147320.tif 000002
【特許請求の範囲】
【請求項１】
リール本体と、
前記リール本体に設けられ、釣糸が巻回されるスプールを支持するスプール軸と、
前記スプール軸が前後動可能に挿通され、ロータが固定される回転軸筒と、
前記回転軸筒の内周部に配置され、前記スプール軸の外周部に接触する弾性部材と、を具備したことを特徴とする魚釣用スピニングリール。
【請求項２】
前記弾性部材は、前記スプールに近い側となる前記回転軸筒の前部内周部、および前記スプールから離れた側となる前記回転軸筒の後部内周部、の少なくとも一方に配置されていることを特徴とする請求項１に記載の魚釣用スピニングリール。
【請求項３】
前記回転軸筒は、前記スプール軸を支持する前端小径内周部および後端小径内周部と、前記前端小径内周部と前記後端小径内周部との間において前記スプール軸の外周面と間隔を空けて対峙する大径内周部と、を有しており、
前記弾性部材は前記大径内周部に配置されていることを特徴とする請求項１に記載の魚釣用スピニングリール。
【発明の詳細な説明】
【技術分野】
【０００１】
本発明は、魚釣用リールに関し、詳細には、スプール軸の支持構造に特徴を有する魚釣用スピニングリールに関する。
【背景技術】
【０００２】
一般に、魚釣用スピニングリールは、リール本体と、リール本体に取り付けられて釣糸が巻回されるスプールと、リ−ル本体に回転自在に支持されたハンドルとを備え、ハンドルの回転操作でスプ−ルに釣糸を巻回する構成となっている。ハンドルの回転運動は、リール本体内に設けられたオシレーティング機構によりスプール軸の前後方向の往復運動に変換されるとともに、スプールに釣糸を巻回保持するロータの回転運動に変換される。
ここで、スプ−ル軸は、ロ−タを支持する回転軸筒内に挿通され、その内周部に摺接して前後動するものであるため、スプール軸と回転軸筒との間に摩擦抵抗を生じる。
【０００３】
従来、このような摩擦抵抗の軽減を図るようにした魚釣用スピニングリールとして、特許文献１に開示された技術が知られている。
この魚釣用スピニングリールでは、回転軸筒の前部および後部の内周部でスプール軸を支持するように構成されている。
【先行技術文献】
【特許文献】
【０００４】
【特許文献１】特開平１１−２０６２８７号公報
【発明の概要】
【発明が解決しようとする課題】
【０００５】
ところで、スプール軸と回転軸筒とは、回転軸筒の内周部にスプール軸が摺接して前後動する構造であるため、ナットやボールベアリング等の部品を介して組み付けられている。このため、各部品の組み付けクリアランスがスプール軸と回転軸筒との組み付けに影響して、スプール軸が径方向にガタつくおそれがあった。
仮に、このようなガタを生じると、強い張力が加わった状態での巻き取り操作時に、上向きの張力成分によってガタのある分だけスプールが持ち上がり、上向きの張力成分が無くなることによってスプールが自重で下がるという現象が引き起こされ、その際に「コトコト音」等の異音が発生して釣人に違和感を与えるおそれがある。
【０００６】
本発明は、前記課題を解決するためになされたものであり、スプール軸と回転軸筒とのガタを防止して異音の発生を好適に抑制することができる魚釣用スピニングリールを提供することを目的とする。
【課題を解決するための手段】
【０００７】
前記目的を達成するために本発明の魚釣用スピニングリールは、リール本体と、リール本体に設けられ、釣糸が巻回されるスプールを支持するスプール軸と、前記スプール軸が前後動可能に挿通され、ロータが固定される回転軸筒と、前記回転軸筒の内周部に配置され、前記スプール軸の外周部に接触する弾性部材と、を具備したことを特徴とする。
【０００８】
この魚釣用スピニングリールによれば、回転軸筒の内周部に配置された弾性部材がスプール軸の外周部に弾性変形可能に接触して緩衝作用を発揮するので、回転軸筒に対してスプール軸がガタつくのを抑えることができる。
【０００９】
また、本発明は、「前記弾性部材は、前記スプールに近い側となる前記回転軸筒の前部内周部、および前記スプールから離れた側となる前記回転軸筒の後部内周部、の少なくとも一方に配置されている」ことを特徴とする。
【００１０】
この魚釣用スピニングリールによれば、スプールに近い側およびスプールから離れた側の、少なくとも一方において弾性部材が緩衝作用を発揮するので、回転軸筒に対してスプール軸がガタつくのを好適に抑えることができる。
【００１１】
また、本発明は、「前記回転軸筒は、前記スプール軸を支持する前端小径内周部および後端小径内周部と、前記前端小径内周部と前記後端小径内周部との間において前記スプール軸の外周面と間隔を空けて対峙する大径内周部と、を有しており、前記弾性部材は前記大径内周部に配置されている」ことを特徴とする。
【００１２】
この魚釣用スピニングリールによれば、前端小径内周部と後端小径内周部との間の大径内周部において弾性部材が緩衝作用を発揮するので、回転軸筒に対してスプール軸がガタつくのを好適に抑えることができる。
【発明の効果】
【００１３】
本発明によれば、弾性部材の緩衝作用によって回転軸筒に対してスプール軸がガタつくのを抑えることができるので、巻き取り操作時に、強い張力が加わって上向きの張力成分が作用してもスプールが持ち上がり難く、また、巻き取り操作時に上向きの張力成分が無くなってもスプールが自重で下がり難くなる。したがって、このような上下動によるスプールの振動現象が引き起こされ難くなり、「コトコト音」等の異音の発生が抑制される。これにより、操作フィーリングのよい魚釣用スピニングリールが得られる。
【００１４】
また、スプールに近い側およびスプールから離れた側の、少なくとも一方において弾性部材が緩衝作用を発揮して、回転軸筒に対してスプール軸がガタつくのを好適に抑えることができるので、巻き取り操作時の張力成分に起因する「コトコト音」等の異音の発生が好適に抑制され、操作フィーリングのよい魚釣用スピニングリールが得られる。
【００１５】
また、前端小径内周部と後端小径内周部との間の大径内周部において弾性部材が緩衝作用を発揮し、回転軸筒に対してスプール軸がガタつくのを好適に抑えることができるので、巻き取り操作時の張力成分に起因する「コトコト音」等の異音の発生が好適に抑制されることとなり、より一層操作フィーリングのよい魚釣用スピニングリールが得られる。
【図面の簡単な説明】
【００１６】
【図１】本発明の第１実施形態に係る魚釣用スピニングリールの全体構成を示す図である。
【図２】図１に示す魚釣用スピニングリールの要部を示す断面図である。
【図３】図２の弾性部材が配置される部分の拡大断面図である。
【図４】本発明の第２実施形態に係る魚釣用スピニングリールの要部を示す断面図である。
【図５】図４の弾性部材が配置される部分の拡大断面図である。
【図６】本発明の第３実施形態に係る魚釣用スピニングリールの要部を示す断面図である。
【図７】図６の弾性部材が配置される部分の拡大断面図である。
【発明を実施するための形態】
【００１７】
以下、本発明に係る魚釣用スピニングリールの実施形態について図面を参照しながら説明する。なお、以下の説明において、「前後」「上下」を言うときは、図１に示した方向を基準とする。また、各実施形態において、同様の部分には同一の符号を付し重複した説明は省略する。
【００１８】
（第１実施形態）
図１に示すように、本実施形態の魚釣用スピニングリールは、図示しない釣竿に装着するための脚部１ａが形成されたリール本体１と、リール本体１の前方に回転可能に設けられたロータ２と、ロータ２の回転運動と同期して前後方向に往復動可能に設けられたスプール３とを備えている。
【００１９】
ロータ２は、スプール３の周囲を回転する一対（図１では一方だけ図示）の腕部４ａを備えており、各腕部４ａのそれぞれの前端部には、ベール４ｂの基端部を取り付けたベール支持部材４ｃが釣糸巻き取り位置と図示しない釣糸放出位置との間で回動自在に支持されている。なお、ベール４ｂの一方の基端部は、ベール支持部材４ｃに取り付けられた釣糸案内部４ｄに接続されている。
【００２０】
リール本体１内には、ハンドル軸５が回転可能に支持されており、その突出端部には、ハンドル６が取り付けられている。また、ハンドル軸５には、巻き取り駆動機構が係合しており、この巻き取り駆動機構は、ハンドル軸５に一体回転可能に装着された駆動ギア（ドライブギア）７と、この駆動ギア７に噛合するピニオンギア１０ａを有する回転軸筒１０とを備えている。
【００２１】
回転軸筒１０は、ハンドル軸５と直交するようにしてリール本体１の前後方向に延出しており、その内部には、軸方向に延在する空洞部（貫通孔）が形成されている。
図２に示すように、回転軸筒１０は、ピニオンギア１０ａの前側と後側とがそれぞれ、対応する軸受としてのボールベアリング９ａ，９ｂにより、リール本体１内に回転可能に支持されている。ボールベアリング９ａは、リール本体１の前部に設けられた軸受収容部１ｃに挿入されて保持され、ピニオンギア１０ａの前側において、回転軸筒１０の軸方向中央部１０１の近傍部分を回転可能に支持している。ボールベアリング９ｂは、リール本体１の筐体内に突出形成された軸受支持部１ｂ（図１参照）の軸受収容部１ｂ１に挿入されて保持され、図２に示すように、ピニオンギア１０ａの後側部分となる回転軸筒１０の後端部１０２を回転可能に支持している。
つまり、回転軸筒１０は、軸方向中央部１０１と後端部１０２との２箇所で支持され、リール本体１に回転可能に設けられている。
また、回転軸筒１０は、スプール３（図１参照）側に向けて延出しており、その先端部において、ロータ２（図１参照）が取り付けられている。
スプール軸８は軸受収容部１ｂ１に嵌入保持されたカラー１４で支持されている。
【００２２】
図２に示すように、ボールベアリング９ａの前側には、カラー１１ａを介して転がり式の一方向クラッチ１１が取り付けられ（配置され）ている。一方向クラッチ１１は、リール本体１の後ろ側に設けられた切換レバー１２（図１参照）を操作することで作動するようになっており、ハンドル６（ロータ２）の釣糸繰り出し方向の逆回転を防止する公知の逆転防止機構（ストッパ）を構成している。
なお、カラー１１ａの後端部は、ボールベアリング９ａの内輪部９ａ１の前端に当接しており、ボールベアリング９ａの前方への移動を規制している。
なお、カラー１１ａの前端部には、回転軸筒１０に固定されたロータ２の円筒軸２ｅの後端部が当接している。
【００２３】
また、回転軸筒１０の先端部（スプール側の端部）の外周面には、雄ネジ１０ｃが形成されており、この雄ネジ１０ｃにロータナット１３が取り付けられてロータ２が回転軸筒１０に固定されるようになっている。
【００２４】
回転軸筒１０の空洞部（貫通孔）内には、摺動可能なクリアランスを有してスプール軸８が挿通支持されている。スプール軸８の後端には、図１に示すように、スプール３（スプール軸８）を前後往復動させるための公知のスプール往復動装置１５が係合している。
一方、回転軸筒１０の前端外周には、図２に示すように、ロータナット１３によりロータ２が固定されている。ロータナット１３は、回転軸筒１０の前端部よりも前方へ突出しており、その突出した部分の内側において、スプール軸８との間には、軸受１３ａが介在されている。軸受１３ａとスプール軸８との間には、カラー１３ｂが配設されており、スプール軸８を支持している。カラー１３ｂの配設により、回転軸筒１０の内周部１０ｂとスプール軸８の外周部８ｂとの間には僅かなクリアランスが形成され、これによって、スプール軸８の滑らかな前後往復動が確保されている。
【００２５】
回転軸筒１０の後部内周部１０ｂ１には、図３に示すように、周溝１０ｅが形成されており、周溝１０ｅ内にＯリング状の弾性部材２０が配置されている。弾性部材２０は、対向するスプール軸８の外周部８ｂに対して弾性変形可能に接触するようになっている。つまり、弾性部材２０は、スプール軸８の外周部８ｂに接触して緩衝作用を発揮するようになっている。弾性部材２０の材料としては、例えば、ニトリルゴム（ＮＢＲ）、シリコーンゴム、アクリルゴム、スチレンブタジエンゴム（ＳＢＲ）、ウレタンゴム、およびブタジエンゴム等の合成ゴム、または天然ゴム等のゴム系材料のいずれかを用いることができる。
【００２６】
なお、周溝１０ｅは、図２に示すように、回転軸筒１０の後部のボールベアリング９ａ，９ｂの間において、ボールベアリング９ａ，９ｂ間の中央部分よりも後ろ側（ボールベアリング９ｂ側）に偏位した位置に形成されている。別言すれば、ピニオンギア１０ａの後部１０ａ１の内側に対応する位置（ボールベアリング９ｂの幾分前方となる位置）に周溝１０ｅが形成されている。つまり、弾性部材２０は、ボールベアリング９ａ，９ｂによる回転軸筒１０の支持区間において、スプール３から離れる側となる位置にてスプール軸８に対する緩衝作用を発揮するようになっている。
【００２７】
このような構成を有する魚釣用スピニングリールにおいて、図１に示すハンドル６を回転させて巻き取り操作を行うと、ロータ２が巻き取り駆動機構を介して回転駆動されるとともに、スプール３がスプール往復動装置１５を介して前後往復動されるので、釣糸は、釣糸案内部４ｄを介してスプール３の巻回胴部３ａに均等に巻回されるようになる。
【００２８】
ここで、巻き取り操作時に強い張力が加わり、上向きの張力成分がスプール３に作用した場合には、回転軸筒１０の後部側において弾性部材２０が緩衝作用を発揮し、回転軸筒１０に対するスプール軸８のガタつきが抑えられる。これにより、スプール軸８の好適な前後往復動が維持される。
【００２９】
以上説明した本実施形態の魚釣用スピニングリールによれば、弾性部材２０の緩衝作用によって回転軸筒１０に対してスプール軸８がガタつくのを抑えることができるので、強い張力が加わった状態での巻き取り操作時に、上向きの張力成分が作用してもスプール３が持ち上がり難く、また、上向きの張力成分が無くなってもスプール３が自重で下がり難くなる。したがって、このような上下動によるスプール３の振動現象が引き起こされ難くなり、「コトコト音」等の異音の発生が抑制される。これにより、操作フィーリングのよい魚釣用スピニングリールが得られる。
【００３０】
また、弾性部材２０は、回転軸筒１０の内周部１０ｂ（１０ｂ１）に配置されるので、異音の発生を抑制する構造を回転軸筒１０の内側にて完結することができる。
なお、ロータナット１３の先端等にリップ部を設けて、そのリップ部の弾力性で緩衝作用を発揮するように構成することも考えられる。しかしながら、そうすると、強度を持たせるためにリップ部を大型化する必要があり、その分、軸方向にリールが大型化することがある。
これに対して、本実施形態の魚釣用スピニングリールでは、弾性部材２０が回転軸筒１０の内周部１０ｂ（１０ｂ１）に配置されるので、軸方向にリールが大型化することもなく、魚釣用スピニングリールのコンパクト化が可能である。したがって、キャスト時の飛距離調整において、人差し指等でスプール３から繰り出される釣糸に触れるフェザリング操作が阻害されることもない。
【００３１】
また、スプール３側の重量モーメントが増大することもなく、タックルバランスが崩れ難くなって持ち重り感も生じ難い。したがって、操作性に優れ使用感が損なわれ難い魚釣用スピニングリールが得られる。
また、ロータナット１３の固定に影響することなく弾性部材２０を配置することができるので、組み込みによるブレが発生し難い。
【００３２】
さらに、弾性部材２０は、スプール軸８の外周部８ｂに接触するようになっているので、回転軸筒１０の回転およびスプール軸８の摺動が阻害され難い。したがって、ハンドル６の回転操作が重くならず、スムーズな釣糸の巻き上げ操作を維持することができる。
また、スプール軸８の外周部８ｂに弾性部材２０が弾接するので、仮に、スプール軸８と回転軸筒１０との間に芯ずれが生じていたとしても、これを好適に吸収することができ、回転軸筒１０のよりスムーズな回転およびスプール軸８のよりスムーズな摺動を実現することができる。
【００３３】
また、弾性部材２０は、スプール３から離れた側となる回転軸筒１０の支持区間（ボールベアリング９ａ，９ｂ間）で緩衝作用を発揮するので、支持区間におけるスプール軸８のよりスムーズな摺動が実現され、操作性に優れた魚釣用スピニングリールが得られる。
【００３４】
なお、弾性部材２０の組み込みクリアランスは、スプール軸８、回転軸筒１０、ボールベアリング９ａ，９ｂやロータナット１３等の積み上げにより生じるガタつきよりも小さく設定されている。これにより、スプール軸８が径方向に動いたとき（振動したとき）に、スプール軸８が回転軸筒１０の内周部１０ｂに接触する前に弾性部材２０によりブレ（ガタ）が抑えられるので、スプール軸８と回転軸筒１０との接触や衝突が生じ難くなる。これにより、異音の発生が効果的に抑制される。
【００３５】
さらに、弾性部材２０は、周溝１０ｅのみで位置決めされるので、組み込みによるばらつきはほぼ皆無となり、緩衝作用を確実に得ることができる。
また、緩衝作用が強く発揮されるように、圧入設定により構成した場合でも、弾性部材２０のつぶし代が狙い易くなり、回転の重さに影響を与えることもない。
【００３６】
なお、弾性部材２０は、回転軸筒１０の前部内周部１０ｂ２（図２参照）に配置してもよい。
【００３７】
（第２実施形態）
図４，図５を参照して第２実施形態の魚釣用スピニングリールについて説明する。
本実施形態が前記第１実施形態と異なるところは、回転軸筒１０の内周部１０ｂの前端に弾性部材２２を配置した点である。
【００３８】
回転軸筒１０の内周部１０ｂの前端には、周状に切欠き溝１０ｄが形成されており、この切欠き溝１０ｄに弾性部材２２が配置されている。
弾性部材２２は、扁平のリング状とされており、切欠き溝１０ｄに接着剤等により取り付けられ、湾曲膨出した内周面２２ａが対向するスプール軸８の外周部８ｂに対して弾性変形可能に接触するようになっている。つまり、弾性部材２２は、回転軸筒１０の前端の内周部１０ｂにおいてスプール軸８の外周部８ｂに接触して緩衝作用を発揮するようになっている。
【００３９】
なお、弾性部材２２の前方には、スプール軸８を支持するカラー１３ｂが配置されており、弾性部材２２は、カラー１３ｂの後方直近位置にて、かつ回転軸筒１０の内周部１０ｂのうちスプール３に一番近い位置にて緩衝作用を発揮するようになっている。
【００４０】
以上説明した本実施形態の魚釣用スピニングリールによれば、回転軸筒１０におけるスプール３の前端、つまり、スプール３に一番近い側で弾性部材２０が緩衝作用を発揮して、回転軸筒１０に対してスプール軸８がガタつくのを直接的に抑えることができるので、巻き取り操作時の張力成分に起因する「コトコト音」等の異音の発生が好適に抑制され、操作フィーリングのよい魚釣用スピニングリールが得られる。
【００４１】
また、弾性部材２２は、カラー１３ｂの後方直近位置にて緩衝作用を発揮するので、カラー１３ｂに対するスプール軸８のガタつきを抑えつつカラー１３ｂに対するスプール軸８のスムーズな摺動を案内することができ、操作フィーリングのよい魚釣用スピニングリールが得られる。
【００４２】
（第３実施形態）
図６，図７を参照して第３実施形態の魚釣用スピニングリールについて説明する。
本実施形態が前記第１，第２実施形態と異なるところは、回転軸筒１の内周の前端と後端とでスプール軸８を支持しており、弾性部材２０が回転軸筒１０の略中央部に配置されている点にある。
【００４３】
回転軸筒１０は、スプール軸８を支持する前端小径内周部１０５および後端小径内周部１０６と、前端小径内周部１０５と後端小径内周部１０６との間においてスプール軸８の外周部８ｂと間隔Ｓ１（図７参照）を空けて対峙する大径内周部１０７とを有している。
大径内周部１０７には、図７に示すように、周溝１０７ａが形成されており、周溝１０７ａ内にＯリング状の弾性部材２０が配置されている。弾性部材２０は、対向するスプール軸８の外周部８ｂに対して弾性変形可能に接触するようになっており、緩衝作用を発揮するようになっている。
【００４４】
周溝１０７ａは、図６に示すように、回転軸筒１０の軸方向中央部１０１よりも前側に偏位した位置に形成されており、ボールベアリング９ａで支持される位置よりも前側にずれた位置で弾性部材２０が緩衝作用を発揮するようになっている。
【００４５】
以上説明した本実施形態の魚釣用スピニングリールによれば、前端小径内周部１０５と後端小径内周部１０６とによって軸方向に間隔を空けて安定的にスプール軸８が支持されるとともに、前端小径内周部１０５と後端小径内周部１０６との間の大径内周部１０７において弾性部材２０が緩衝作用を発揮して、回転軸筒１０に対してスプール軸８がガタつくのを好適に抑えることができるので、巻き取り操作時の張力成分に起因する「コトコト音」等の異音の発生が好適に抑制されることとなり、より一層操作フィーリングのよい魚釣用スピニングリールが得られる。
【００４６】
また、弾性部材２０は、回転軸筒１０がボールベアリング９ａによって支持される位置よりも前側にずれた位置に配置されており、ボールベアリング９ａ，９ｂで回転軸筒１０が支持される区間からはずれた前側にて緩衝作用を発揮するので、実質的にスプール軸８の支持区間が延長される状態となり、異音の発生が好適に抑制されることとなる。
【００４７】
前記各実施形態では、弾性部材２０や弾性部材２２を回転軸筒１０に１つ設けた例を示したが、これに限られることはなく、複数個配置してもよいし、弾性部材２０と弾性部材２２とを組み合わせて配置してもよい。また、回転軸筒１０の前端や後端等、ガタつきが生じ易い位置を狙って複数配置してもよい。
また、弾性部材２０，２２の断面形状は、緩衝作用をなすものであれば適宜の形状のものを採用することができる。
【００４８】
また、前記各実施形態では、回転軸筒１０の後端部１０２をボールベアリング９ｂで支持した例を示したが、ボールベアリング９ｂに代えて、図示しないカラーで支持するように構成してもよい。
【符号の説明】
【００４９】
１      リール本体
２      ロータ
３      スプール
７      駆動ギア
８      スプール軸
８ｂ    外周部
９ａ    ボールベアリング
９ｂ    ボールベアリング
１０    回転軸筒
１０ｂ  内周部
２０，２２    弾性部材
１０５  前端小径内周部
１０６  後端小径内周部
１０７  大径内周部
【図１】
2014147320.tif 000003
【図２】
2014147320.tif 000004
【図３】
2014147320.tif 000005
【図４】
2014147320.tif 000006
【図５】
2014147320.tif 000007
【図６】
2014147320.tif 000008
【図７】
2014147320.tif 000009